(57)【要約】【課題】封筒若しくは郵便葉書によるダイレクトメール、又はメッセージカードについて、受取人にそれらの内容を見られないまま捨てられてしまうことを極力回避して、宣伝広告その他の情報伝達の効率化を図ることができる封緘用又は隠蔽用シールを提供する。【解決手段】封筒（３０）を封緘するため、或いは、郵便葉書若しくはメッセージカード（２０）の特定部分を隠蔽するために用いられる封緘用又は隠蔽用シール（１）に、その裏面側に被接着側に対して剥離可能な状態で接着されるための粘着剤層（６）を設け、その粘着剤層（６）と被接着側の面との間に物品（１０）（１０）…が封じ込められるようにして、表面側に当該物品（１０）（１０）…が封じ込められている旨を知らせるお知らせ（２）を表示する。【選択図】  図１
2005017522.tif 000002
【特許請求の範囲】
【請求項１】
封筒を封緘するため、或いは、郵便葉書若しくはメッセージカードの特定部分を隠蔽するために用いられる封緘用又は隠蔽用シールであって、裏面側に被接着側に対して剥離可能な状態で接着されるための粘着剤層を備え、その粘着剤層と被接着側の面との間に物品が封じ込められるものであり、表面側に当該物品が封じ込められている旨を知らせるお知らせが表示されていることを特徴とする封緘用又は隠蔽用シール。
【請求項２】
当該シールが、郵便葉書若しくはメッセージカードに接着されるものであって、その郵便葉書若しくはメッセージカードに表示された受取人に知らせるための宣伝広告その他の情報を隠蔽するためのものである請求項１記載の封緘用又は隠蔽用シール。
【請求項３】
シール表面側に、前記の封じ込められた物品に関する情報が表示されている請求項１又は２記載の封緘用又は隠蔽用シール。
【発明の詳細な説明】
【０００１】
【発明の属する技術分野】
この発明は、封筒を封緘するため、或いは、郵便葉書若しくはメッセージカードの特定部分を隠蔽するために用いられる封緘用又は隠蔽用シールに関するものである。
【０００２】
【従来の技術】
近年、イベント開催、キャンペーンなどの案内、又は、商品やサービスの紹介などの情報を伝達する手段として、封筒又は葉書によるダイレクトメール、或いは、留守中の訪問先に書き置きするためのメッセージカードが一般的に利用されている。従って、受取人にとっては、そのようなダイレクトメール等を頻繁に受け取るのが日常となっており、それら多数のダイレクトメール等の内容に目を通すのが面倒であるため、ダイレクトメール等がその内容を受取人に見られることがないまま捨てられてしまうことが多くなっている。
【０００３】
そこで、特許文献１に開示された発明では、ダイレクトメールの内容を受取人に見てもらうために、封筒によるダイレクトメールの封緘に用いるシールに、封筒の開封率を向上させるような工夫がなされている。すなわち、この封緘用のシールは、幅方向両端にそれぞれ接着部が設けられており、それら接着部間に挟まれた部分において、ミシン目状の切取線で切離し可能となっているため、受取人が容易且つ迅速に開封できるようになっている。つまり、開封時における受取人の手間を省くことにより、開封を促す動機付けを与え、開封率の向上を図っている。
【０００４】
【特許文献１】特開平７−１４４４９９号公報
【０００５】
【発明が解決しようとする課題】
しかし、特許文献１の構成では、開封作業の改善はなされているが、受取人が一目でそのことに気付くとは限らず、また、仮に気付いたとしても、容易且つ迅速に開封できるからといって、そのことが必ずしも開封を促すための強い動機付けを与えるまでには至っていなかった。従って、開封率を多少は向上させていたとしても、宣伝広告その他の情報伝達の効率としては依然として良いものではなかった。
【０００６】
また、特許文献１に開示されたシールは、葉書によるダイレクトメール、又は上述のようなメッセージカードについては、元々開封作業を必要としないため、利用することができなかった。
【０００７】
そこで、この発明は、上記の不具合を解消して、封筒若しくは郵便葉書によるダイレクトメール、又はメッセージカードについて、受取人にそれらの内容を見られないまま捨てられてしまうことを極力回避して、宣伝広告その他の情報伝達の効率化を図ることができる封緘用又は隠蔽用シールの提供を目的とする。
【０００８】
【課題を解決するための手段】
上記の課題を解決するため、この発明は、封筒を封緘するため、或いは、郵便葉書若しくはメッセージカードの特定部分を隠蔽するために用いられる封緘用又は隠蔽用シールであって、裏面側に被接着側に対して剥離可能な状態で接着されるための粘着剤層を備え、その粘着剤層と被接着側の面との間に物品が封じ込められるものであり、表面側に当該物品が封じ込められている旨を知らせるお知らせが表示されていることを特徴とする。
【０００９】
また、当該シールが、郵便葉書若しくはメッセージカードに接着されるものであって、その郵便葉書若しくはメッセージカードに表示された受取人に知らせるための宣伝広告その他の情報を隠蔽するためのものである。
【００１０】
さらに、シール表面側に、前記の封じ込められた物品に関する情報が表示されている。
【００１１】
【発明の実施の形態】
以下、この発明の実施形態を図面に基づいて詳細に説明する。図１乃至図３において、（２０）は、例えば留守中の訪問先に書き置きするためのメッセージカードを示している。この実施形態において、メッセージカード（２０）は、ハガキサイズとなっており、横長になるようにして用いられている。ただし、メッセージカード（２０）は、特にこの大きさに限定されるものではなく、また、縦長になるようにして用いても良いものである。
【００１２】
図において、（２１）は、受取人に知らせるための宣伝広告その他の情報を表示するための情報表示部である。この情報表示部（２１）には、イベント開催、キャンペーンなどの案内、又は、商品やサービスの紹介などの情報が印刷されている。
【００１３】
さらに、図において、（２２）は、例えば、営業等の目的で訪問した訪問先が留守中であった場合に、訪問者がその訪問先への伝言を記載するための伝言記載部である。この伝言記載部（２２）には、訪問先で記載しやすいように罫線が設けられている。（２３）は、訪問者の連絡先を表示するための連絡先表示部である。（２４）は、訪問者の顔写真等を表示するための写真表示部である。（２５）は、訪問日を記入するための訪問日記入部である。
【００１４】
このメッセージカード（２０）は、その一方の面において、左側の略半分が情報表示部（２１）となっており、右側の略半分には、伝言記載部（２２）、連絡先表示部（２３）、写真表示部（２４）、及び訪問日記入部（２５）がそれぞれ配置されている。
【００１５】
ただし、メッセージカード（２０）の前記一方の面において、これら各部（２１）〜（２５）の配置は上記構成に限られないものであり、また、それら各部（２１）〜（２５）のうち一部を、他方の面に設けるようにしても良いものである。
【００１６】
図において、（１）は、封緘用又は隠蔽用シールであって、ここでは、メッセージカード（２０）の特定部分を隠蔽するために用いられる。シール（１）は、例えば矩形状となっており、図１乃至図３に示すような縦長の形状であっても良いし、図４に示すような横長の形状であっても良い。
【００１７】
シール（１）の裏面側には、被接着側に対して剥離可能な状態で接着されるための粘着剤層（６）が設けられている。粘着剤層（６）は、シール（１）裏面に例えばアクリル系の粘着剤が略均一に塗布されて形成されている。また、シール（１）の裏面側には、粘着剤層（６）の裏面を覆うようにして離型紙（７）が貼り付けられている。この離型紙（７）は、シール（１）の四隅等から引き剥がせるようになっている。
【００１８】
封緘用又は隠蔽用シール（１）は、その粘着剤層（６）と被接着側の面との間に物品（１０）（１０）…が封じ込められるものである。その物品（１０）（１０）…としては、図１に示すように、例えば植物の種子が封じ込められる。植物の種子（１０）（１０）…のように粒状のもの、或いは、粉末状、若しくは液状のものについては、例えば透明の収納袋（１１）内に収納された状態で、粘着剤層（６）と被接着側の面との間に封じ込められる。
【００１９】
このように封じ込められる物品（１０）としては、シール（１）の粘着剤層（６）と被接着側の面との間に封じ込めることが可能な大きさのものであれば良く、植物の種子以外にも、例えば、洗剤類、化粧品類、食品類などが考えられる。ここで、物品（１０）が、粉末状、粒状、若しくは液状のものであれば、上記のように収納袋（１１）内に収納するのが望ましいが、必ずしも収納袋（１１）内に収納しなくても良いものとする。
【００２０】
一方、シール（１）表面側には、上記の物品（１０）（１０）…が封じ込められている旨を知らせるお知らせ（２）が表示されている。また、シール（１）の表面側には、封じ込められた物品（１０）に関する情報が表示されている。具体的には、物品（１０）をイメージさせるような写真やイラストなどが表示されたイメージ表示部（５）、及び、物品（１０）の性質や利用方法などを説明するための物品説明部（４）が、それぞれシール（１）表面に設けられている。さらに、シール（１）の表面側には、受取人がシール（１）を剥がす際の開け口部分を示す開け口表示部（３）が所定箇所に設けられている。
【００２１】
このメッセージカード（２０）に上記構成のシール（１）を接着する際は、図１に示すように、情報表示部（２１）の上面に、例えば収納袋（１１）内に収納された物品（１０）（１０）…を載置した状態において、離型紙（７）から引き剥がしたシール（１）を、その粘着剤層（６）とメッセージカード（２０）表面との間に物品（１０）（１０）を封じ込めるようにして、メッセージカード（２０）に貼り付ける。
【００２２】
この接着状態において、メッセージカード（２０）の情報表示部（２１）に表示された受取人に知らせるための宣伝広告その他の情報が、シール（１）によって隠蔽されている。
【００２３】
メッセージカード（２０）に、シール（１）を上記のように接着しておくことにより、メッセージカード（２０）の表面とシール（１）の粘着剤層（６）との間に物品（１０）（１０）…が封じ込められており、シール（１）の表面側にその旨を知らせるお知らせが表示されているため、受取人の注意を引くことができるとともに、受取人がシール（１）を剥がすための強い動機付けを与えることができる。
【００２４】
加えて、封じ込められた物品（１０）（１０）…に関するイメージ表示部（５）や物品説明部（４）のような情報が、シール（１）の表面側に表示されているため、その物品（１０）（１０）…に対する受取人の関心を呼び起こすことができ、受取人がシール（１）を剥がすための動機付けをより強めている。また、シール（１）は、メッセージカード（２０）に剥離可能な状態で接着されているため、受取人は容易にシール（１）を剥がすことができるようになっている。
【００２５】
従って、このシール（１）を貼り付けたメッセージカード（２０）を留守中の訪問先に書き置きした場合に、受取人がメッセージカード（２０）に記載された内容を見ることのないまま捨ててしまうことを極力回避することができる。
【００２６】
また、受取人がシール（１）を剥がすのをきっかけとして、メッセージカード（２０）に記載された内容を受取人に見てもらう確率を向上させることができ、宣伝広告その他の情報伝達の効率化を図ることができる。特に、シール（１）によって隠蔽された情報については、シール（１）を剥がした受取人に大きな印象を与えることができ、より効果的な情報伝達を行うことが可能となっている。
【００２７】
また、このシール（１）は、例えばダイレクトメールとして郵送される郵便葉書に対しても、上記のメッセージカード（２０）と同様に接着される。その場合は、宛名及び郵便番号が記載された面とは反対側の面、すなわち、郵便物としての裏面側に情報表示部（２１）が設けられ、上記と同様に、シール（１）によって隠蔽される。ただし、情報表示部（２１）は、郵便物としての表面側に設けるようにしても良いものとする。
【００２８】
そして、このシール（１）を貼り付けた郵便葉書をダイレクトメールとして郵送した場合は、受取人が郵便葉書に記載された内容を見ることのないまま捨ててしまうことを極力回避することができ、上記と同様の効果を得ることができる。
【００２９】
さらに、封緘用又は隠蔽用シール（１）は、図４に示すように、例えばダイレクトメールとして郵送される封筒（３０）を封緘するために用いられる。なお、このシール（１）は、図に示すような横長の封筒（３０）以外にも、縦長の封筒に用いるようにしても良いものである。
【００３０】
封緘時は、封筒（３０）内に必要な書類等を入れた後、封筒（３０）の閉じ代（３１）を背面（３２）側に折り曲げて、物品（１０）を収納した収納袋（１１）、若しくは物品（１０）自体を、折り曲げた閉じ代（３１）の先端付近に載置した状態において、離型紙（７）から引き剥がしたシール（１）を、物品（１０）を上記のように封じ込めるように、且つ、閉じ代（３１）の先端を跨ぐようにして、閉じ代（３１）表面及び封筒（３０）の背面（３２）に貼り付ける。
【００３１】
このように、シール（１）を封筒（３０）の封緘用として用いた場合も、上記と同様に、受取人の注意を引くことができるとともに、受取人がシール（１）を剥がすための強い動機付けを与えることができる。従って、封筒（３０）の開封率を向上させることができ、その封筒（３０）内の書類等の内容を受取人に見てもらう確率を向上させることで、ダイレクトメールによる宣伝広告その他の情報伝達を効率的に行うことができる。
【００３２】
この発明は、上記実施形態に限定されるものではなく、この発明の範囲内で上記実施形態に多くの修正及び変更を加え得ることは勿論である。
【００３３】
【発明の効果】
以上の説明から明らかなように、この発明では、シール裏面側の粘着剤層と、封筒、郵便葉書、メッセージカード等の被接着側の面との間に物品が封じ込められており、シールの表面側にその旨を知らせるお知らせが表示されているため、受取人の注意を引くことができるとともに、受取人がシールを剥がすための強い動機付けを与えることができる。また、シールは、被接着側に剥離可能な状態で接着されるため、受取人は容易にシールを剥がすことができる。
【００３４】
従って、このシールを貼り付けた封筒若しくは郵便葉書をダイレクトメールとして送付する場合、又は、このシールを貼り付けたメッセージカードを留守中の訪問先に書き置きした場合に、受取人がそれらの内容を見ることのないまま捨ててしまうことを極力回避することができる。
【００３５】
すなわち、このシールを封筒の封緘用として用いた場合は、封筒の開封率を向上させることができ、その封筒内の書類等の内容を受取人に見てもらう確率を向上させることで、ダイレクトメールによる宣伝広告その他の情報伝達を効率的に行うことができる。
【００３６】
また、このシールを葉書若しくはメッセージカードに接着した場合は、受取人がシールを剥がすのをきっかけとして、葉書若しくはメッセージカードに記載された内容を受取人に見てもらう確率を向上させることができ、上記と同様に情報伝達の効率化を図ることができる。
【００３７】
さらに、このシールを、葉書若しくはメッセージカードに表示された宣伝広告その他の情報を隠蔽するために用いた場合は、その隠蔽された情報について、シールを剥がした受取人に大きな印象を与えることができ、宣伝広告その他の情報伝達をより効果的に行うことが可能となっている。
【００３８】
加えて、封じ込められた物品に関する情報をシール表面側に表示することで、その物品に対する受取人の関心を呼び起こすことができ、受取人がシールを剥がすための動機付けをより強めることができる。
【図面の簡単な説明】
【図１】この発明の一実施形態に係るシール及びこれが接着されるメッセージカードを示す斜視図である。
【図２】シールが接着された状態のメッセージカードを示す平面図である。
【図３】シールを剥がした状態のメッセージカードを示す平面図である。
【図４】シールが接着された状態の封筒を示す斜視図である。
【符号の説明】
（１）  封緘用又は隠蔽用シール
（２）  お知らせ
（６）  粘着剤層
（１０）  物品
（２０）  メッセージカード
（３０）  封筒
【図１】
2005017522.tif 000003
【図２】
2005017522.tif 000004
【図３】
2005017522.tif 000005
【図４】
2005017522.tif 000006